(57)【要約】【課題】  所定の操作によって音を発生させる音情報発生機能を有し、この音情報発生機能を通話機能と関連づけて動作させて利便性を向上させる。【解決手段】  トイレマナーボタン５７が押下されると、トイレマナーモードに設定され、その状態で通話着信があった場合、着信音をスピーカ８１から出力せずに予め記憶された応答メッセージで自動応答するとともに、予め設定された音情報をスピーカ８１から出力する。【選択図】図２
2007049525.tif 000002
【特許請求の範囲】
【請求項１】
通話着信時に予め記憶された音声情報によって応答する自動応答モードに設定可能な通話手段と、
前記通話手段が前記自動応答モードに設定された場合に、予め設定された音情報を発生させる音情報発生手段とを有する通話端末。
【請求項２】
請求項１に記載の通話端末において、
前記音情報発生手段は、前記通話手段が前記自動応答モードに設定された場合に前記音情報を連続的に発生させることを特徴とする通話端末。
【請求項３】
請求項１に記載の通話端末において、
前記音情報発生手段は、前記通話手段が前記自動応答モードに設定された場合に前記音情報を断続的に発生させることを特徴とする通話端末。
【請求項４】
請求項１乃至３のいずれか１項に記載の通話端末において、
前記自動応答モードに設定するための操作ボタンを有することを特徴とする通話端末。
【請求項５】
請求項１乃至４のいずれか１項に記載の通話端末において、
前記音情報発生手段は、通信回線を介して取得された音情報を発生させることを特徴とする通話端末。
【請求項６】
請求項１乃至５のいずれか１項に記載の通話端末において、
前記音情報が記憶された記憶手段を有し、
前記音情報発生手段は、前記記憶手段に記憶された音情報のうち指定された音情報を発生させることを特徴とする通話端末。
【請求項７】
請求項６に記載の通話端末において、
前記通話手段は、前記音声情報に対するメッセージ情報を前記記憶手段に記憶することを特徴とする通話端末。
【請求項８】
請求項１乃至７のいずれか１項に記載の通話端末において、
前記自動応答モードは、前記音声情報が互いに異なる複数の応答モードを有し、
前記音情報発生手段は、前記通話手段が前記複数の応答モードのうち予め決められた１つの応答モードに設定された場合に前記音情報を発生させることを特徴とする通話端末。
【請求項９】
請求項８に記載の通話端末において、
前記音情報発生手段は、前記応答モードの設定を解除する旨が指定された場合、予め登録された情報が入力された場合にのみ、前記音情報の発生を停止することを特徴とする通話端末。
【請求項１０】
通話着信時に予め記憶された音声情報によって応答する自動応答モードに設定可能な通話手段と、予め設定された音情報を発生させる音情報発生手段とを有する通話端末の動作方法であって、
前記通話手段が前記自動応答モードに設定された場合に、前記音情報発生手段から予め設定された音情報を発生させる、通話端末の動作方法。
【請求項１１】
請求項１０に記載の通話端末の動作方法において、
前記通話手段が前記自動応答モードに設定された場合、前記音情報発生手段から前記音情報を連続的に発生させることを特徴とする通話端末の動作方法。
【請求項１２】
請求項１０に記載の通話端末の動作方法において、
前記通話手段が前記自動応答モードに設定された場合、前記音情報発生手段から前記音情報を断続的に発生させることを特徴とする通話端末の動作方法。
【請求項１３】
請求項１０乃至１２のいずれか１項に記載の通話端末の動作方法において、
通信回線を介して取得された音情報を前記音情報発生手段から発生させることを特徴とする通話端末の動作方法。
【請求項１４】
請求項１０乃至１３のいずれか１項に記載の通話端末の動作方法において、
前記音情報を記憶手段に複数記憶しておき、該複数の音情報のうち指定された音情報を前記音情報発生手段から発生させることを特徴とする通話端末の動作方法。
【請求項１５】
請求項１４に記載の通話端末の動作方法において、
前記通話手段が、前記音声情報に対するメッセージ情報を前記記憶手段に記憶することを特徴とする通話端末の動作方法。
【請求項１６】
請求項１０乃至１５のいずれか１項に記載の通話端末の動作方法において、
前記自動応答モードが、前記音声情報が互いに異なる複数の応答モードからなり、前記通話手段が前記複数の応答モードのうち予め決められた１つの応答モードに設定された場合に前記音情報発生手段から前記音情報を発生させることを特徴とする通話端末の動作方法。
【請求項１７】
請求項１６に記載の通話端末の動作方法において、
前記応答モードの設定を解除する旨が指定された場合、予め登録された情報が入力された場合にのみ、前記音情報発生手段からの前記音情報の発生を停止することを特徴とする通話端末の動作方法。
【発明の詳細な説明】
【技術分野】
【０００１】
本発明は、携帯電話機等の通信端末及び通信端末の動作方法に関する。
【背景技術】
【０００２】
従来より、公共の場に設置されたトイレを使用する場合において、排泄音を外部の人に聞かれないようにするために、排泄時にトイレに水を流し、その水が流れる音によって排泄音を紛らわすことがある。このように排泄時にトイレに水を流した場合、排泄後にもトイレに水を流すことから、１回のトイレの使用について最低２回水が流されることになり、水資源が無駄に消費されてしまっている。
【０００３】
そこで、水が流れる音等といった擬音を発生させる擬音発生装置が考えられている（例えば、特許文献１参照。）。この特許文献１に記載された擬音発生装置は、排泄音を紛らわすことができるような擬音が予め記憶されており、トイレの壁面等に取り付けられる。そして、排泄時にスイッチを操作すると、予め記憶された擬音がスピーカ等から出力され、この擬音によって排泄音を紛らわすことができる。
【０００４】
また、同様に排泄音を紛らわすことができるような擬音が予め記憶された音声発生装置であって、携帯可能に構成されたものが考えられている（例えば、特許文献２参照。）。このように携帯可能な構成とすることにより、トイレに上述したような擬音発生装置が取り付けられているかどうかに関わらず、排泄時に擬音を発生させることができ、排泄音を紛らわすことができるようになる。
【特許文献１】特開２００２−２３２９６０号公報
【特許文献２】特開平８−１４６９８２号公報
【発明の開示】
【発明が解決しようとする課題】
【０００５】
しかしながら、特許文献１に記載されたものは、トイレの壁面等に取り付けられて使用されるものであるため、擬音発生装置が取り付けられていないトイレでは、擬音を発生させることができずに排泄音を外部の人に聞かれてしまうという問題点がある。
【０００６】
また、特許文献２に記載されたものは、この音声発生装置を所持していれば、どこのトイレでも排泄時に擬音を発生させることができるものの、擬音を発生させるためだけに音声発生装置を常に持ち歩かなければならず、利便性に優れているとは言いがたい。
【０００７】
本発明は、上述したような従来の技術が有する問題点に鑑みてなされたものであって、所定の操作によって音を発生させる音情報発生機能を有し、この音情報発生機能を通話機能と関連づけて動作させることができる通話端末及び通話端末の動作方法を提供することを目的とする。
【課題を解決するための手段】
【０００８】
上記目的を達成するために本発明は、
通話着信時に予め記憶された音声情報によって応答する自動応答モードに設定可能な通話手段と、
前記通話手段が前記自動応答モードに設定された場合に、予め設定された音情報を発生させる音情報発生手段とを有する。
【０００９】
上記のように構成された本発明においては、通話手段がある特定の自動応答モードに設定されると、音情報発生手段から予め設定された音情報が発生する。そのため例えば、トイレを使用する際に通話手段を自動応答モードに設定すると、音情報発生手段から予め設定された音情報が発生するとともに、通話着信があった場合は予め記憶された音声情報によって応答が行われる。これにより、トイレ使用時において、音情報発生手段にて発生した音情報によって排泄音を紛らわすことができるとともに、通話着信時に自動応答することができる。また、非常事態発生時においては、音声情報発生手段にて発生する音情報を警報音としておくとともに、自動応答のメッセージとして非常事態が発生した旨のメッセージを設定しておけば、非常事態発生時にそれに応じた自動応答モードに設定することにより、警報音を出力することができるとともに、通話着信時に、非常事態が発生した旨を発信元に通知することができる。
【００１０】
また、音情報の発生は、連続的であっても断続的であってもよく、この音情報は、通信回線を介して取得されたものであってもよい。
【００１１】
また、音情報を記憶手段に記憶しておき、記憶手段に記憶された音情報のうち指定された音情報を発生させてもよく、また、この記憶手段に、音声情報に対するメッセージ情報を記憶してもよい。
【００１２】
また、自動応答モードとして、音声情報が互いに異なる複数の応答モードが設定されており、音情報発生手段において、通話手段が複数の応答モードのうち予め決められた１つの応答モードに設定された場合に音情報を発生させる。
【００１３】
また、音情報発生手段は、応答モードの設定を解除する旨が指定された場合、予め登録された情報が入力された場合にのみ、音情報の発生を停止する。
【発明の効果】
【００１４】
以上説明したように本発明においては、通話手段が自動応答モードに設定された場合に音情報発生手段から予め設定された音情報が発生する構成としたため、トイレ使用時に音情報を発生させながら通話着信時に自動応答したり、非常事態発生時に警報音を発生させながら通話着信時に非常事態が発生した旨を示すメッセージで応答したりするといった利便性を向上させることができる。
【発明を実施するための最良の形態】
【００１５】
以下に、本発明の実施の形態について図面を参照して説明する。
【００１６】
図１は、本発明の通話端末の実施の一形態となる携帯電話機の構成を示す機能ブロック図である。
【００１７】
本形態は図１に示すように、無線回線を介しての通信を行う無線制御部２０及びアンテナ１０と、情報を表示するための表示部３０と、音声を入力するための音声入力部４０と、情報を入力したり指定したりするための操作部５０と、処理プログラムや音声情報等が記憶された記憶部６０と、通話音声を出力するための通話音声出力部７０と、着信音やトイレマナー音や警報音や音楽等の音情報を出力するための音情報出力部８０と、これらを制御する制御部９０とから構成されている。また、制御部９０は、無線回線を介しての通話を制御する通話制御部９１と、音情報出力部８０からの音情報の出力を制御する音発生制御部９２と、インターネットの利用等の通信を制御する通信制御部９３とから構成されている。
【００１８】
通話制御部９１は、無線制御部２０、表示部３０、音声入力部４０、操作部５０、記憶部６０及び通話音声出力部８０を制御して通話手段となる。無線制御部２０にて通話着信が検出された場合、その旨を表示部３０に表示し、通話相手が番号表示を指定している場合はその番号を表示部３０に表示し、また、その番号が記憶部６０に記憶されている場合は記憶部６０にてその番号に対応づけて登録された氏名等を表示部３０に表示する。また、記憶部６０に記憶された音情報のうち、予め指定された着信音を読み出して音情報出力部８０から出力する。そして、操作部５０にて通話を行う旨が指定された場合（いわゆるオンフック動作）に通話動作を開始し、音声入力部４０に入力された音声情報を無線制御部２０に与え、また、無線制御部２０にて受信されて処理された音声情報を通話音声出力部７０から出力する。また、操作部５０にて自動応答モードの設定が行われた状態においては、無線制御部２０にて通話着信が検出された場合、記憶部６０に予め記憶された音声情報を応答メッセージとして無線制御部２０に与えるとともに、その応答メッセージに対するメッセージ情報がアンテナ１０及び無線制御部２０にて受信された場合にそのメッセージ情報を記憶部６０に記憶する。
【００１９】
音発生制御部９２は、無線制御部２０、操作部５０、記憶部６０及び音情報出力部８０を制御して音情報発生手段となり、通話制御部９１が自動応答モードに設定された場合に記憶部６０に記憶された音情報を音情報出力部８０から出力したり、着信時に記憶部６０に記憶された音情報を着信音として音情報出力部８０から出力したりする。また、操作部５０に対する操作によって音情報出力部８０から音情報を出力したり、音情報出力部８０からの音情報の出力を停止したりする。
【００２０】
通信制御部９３は、無線制御部２０、表示部３０、操作部５０、記憶部６０及び音情報出力部８０を制御し、電子メールやインターネット利用時の通信を制御する。すわなち、メールソフトウェアやブラウザソフトウェアを有し、メールソフトウェア起動時は、アンテナ１０及び無線制御部２０にて受信された電子メールを表示部３０に表示したり、操作部５０を介して入力された情報を用いて電子メールを作成し、アンテナ１０及び無線制御部２０を介してこの電子メールを送信したりする。また、ブラウザソフトウェア起動時は、アクセス先のサイト上の情報を表示部３０に表示したり、操作部５０にて指定あるいは入力された情報をアンテナ１０及び無線制御部２０を介してサイトに送信したりする。
【００２１】
また、無線制御部２０は、送受信部（不図示）及びベースバンド処理部（不図示）を有し、アンテナ１０を介して無線回線から受信された情報を制御部９０に与え、また、制御部９０からの情報をアンテナ１０を介して無線回線に送信する。
【００２２】
また、記憶部６０には、上述したようなメールソフトウェアやブラウザソフトウェア等の動作プログラムや、音情報出力部８０から出力される音情報や、操作部５０にて自動応答モードの設定が行われた場合に通話着信時にアンテナ１０及び無線制御部２０を介して送信される応答メッセージが予め記憶されている。また、この応答メッセージに対するメッセージ情報がアンテナ１０及び無線制御部２０を介して受信された場合、通話制御部９１の制御によってそのメッセージ情報が記憶される。
【００２３】
以下に、上記のように構成された携帯電話機の動作方法について複数の実施の形態を例に挙げて説明する。
【００２４】
（第１の実施の形態）
図２は、図１に示した携帯電話機１００の第１の実施の形態の外部構造を示す図であり、（ａ）は折り畳み状態における一方の面を示す図、（ｂ）は見開いた状態における見開き面を示す図である。
【００２５】
図２に示すように、本形態における携帯電話機１００においては、表示部３０としてディスプレイ３１が設けられ、音声入力部４０としてマイク４１が設けられ、操作部５０としてテンキー５１、移動／指定ボタン５２、機能設定ボタン５３ａ〜５３ｄ、通話ボタン５４、電源ボタン５５、伝言モードボタン５６及びトイレマナーモードボタン５７が設けられ、通話音声出力部７０としてスピーカ７１が設けられ、音情報出力部８０としてスピーカ８１が設けられている。なお、図示していないが、着信時に着信音をスピーカ８１から出力せずに振動で着信を通知するマナーモードに設定するマナーモードボタンも一般的に設けられている。
【００２６】
図３は、図１及び図２に示した携帯電話機１００の動作方法を説明するためのフローチャートである。
【００２７】
電源ボタン５５が押下されることにより電源が投入された待ち受け状態において（ステップＳ１）、トイレマナーモードボタン５７が押下されると（ステップＳ２）、このトイレマナーモードボタン５７の押下が制御部９０にて検出され、トイレマナーモードへの設定が行われる（ステップＳ３）。
【００２８】
トイレマナーモードへの設定が行われると、通話制御部９１において、無線制御部２０にて通話着信が検出された場合に、音情報出力部８０であるスピーカ８１から通話着信音を出力することなく自動的に通話状態とし、記憶部６０に予め記憶された応答メッセージが無線制御部２０及びアンテナ１０を介して送信される自動応答モードが設定される。この自動応答モードは、伝言モードボタン５６を押下することによっても設定することができる。自動応答モードに設定された場合に記憶部６０から読み出される音声メッセージは、携帯電話機１００の販売時に既に記憶部６０に記憶されているメッセージや、音声入力部４０であるマイク４１を介して入力されて記憶部６０に記憶されているメッセージや、通信回線を介してダウンロードされた音楽等を適宜選択することができる。
【００２９】
また、トイレマナーモードへの設定が行われると、音発生制御部９２の制御によって、記憶部６０に記憶された音情報が読み出され、音情報出力部８０となるスピーカ８１から出力される（ステップＳ４）。なお、この際、スピーカ８１から出力される音情報は予め設定されている。例えば、ディスプレイ３１にメニュー画面を表示させ、このメニュー画面において、トイレマナーモードに設定された場合にスピーカ８１から出力される音情報の選択を指定する。すると、記憶部６０に記憶された音情報の一覧がディスプレイ３１に表示され、その中から所望の音情報を選択することにより、トイレマナーモードに設定された場合にスピーカ８１から出力される音情報が設定されることになる。また、スピーカ８１から出力されるものとして記憶部６０に記憶された音情報は、通信回線を介してダウンロードされたものであってもよい。その場合、インターネット上の特定のサイトにアクセスし、そのサイトから音情報をダウンロードすると、通信制御部９３の制御によってダウンロードされた情報が記憶部６０に記憶されることになる。また、スピーカ８１からの音情報の出力は、トイレマナーモードが有効に設定されている間中、連続的に出力されてもよいし、断続的に出力されてもよい。また、音楽等であれば継続的であってもよい。これは、設定された音情報の種類によって決められるものであってもよいし、音情報が選択される際にその音情報の出力パターンを連続的とするか断続的とするかが選択されるものであってもよい。このように選択される音情報としては、例えば、川に水が流れる音等といった自然界の音や、機械音、あるいは音楽等といった様々なものが適用可能である。また、上述したようにトイレマナーボタン５７が押下されると記憶部６０に記憶された音情報がスピーカ８１から出力されるため、トイレマナーモードボタン５７が押下されたことによるトイレマナーモードへの設定は、トイレマナーモードボタン５７が一定時間（例えば２秒）押下された場合に行われる構成とすることが好ましく、伝言モードボタン５６が押下されたことによる自動応答モードへの設定についても同様の構成とすることが考えられる。
【００３０】
トイレマナーモードボタン５７の押下によってトイレマナーモードに設定されている状態、すなわち、音情報出力部８０となるスピーカ８１から音情報が出力されている状態において、トイレマナーモードボタン５７が再度押下される前に（ステップＳ５）、無線制御部２０にて通話着信が検出された場合（ステップＳ６）、通話制御部９１の制御によって、記憶部６０に記憶された応答メッセージが読み出され、無線制御部２０及びアンテナ１０を介して通話相手にこの応答メッセージが送信される（ステップＳ７）。なお、この際に記憶部６０から読み出される応答メッセージは、上述したように、携帯電話機１００の販売時に既に記憶部６０に記憶されているメッセージや、音声入力部４０であるマイク４１を介して入力されて記憶部６０に記憶されているメッセージ等を適宜選択することができる。また、応答メッセージが送信されている間、通話制御部９１の制御によって、応答メッセージを送信している旨が表示部３０に表示されたり、通話相手が番号表示を指定している場合はその番号が表示されたり、また、その番号が記憶部６０に記憶されている場合は記憶部６０にてその番号に対応づけて登録された氏名等が表示部３０に表示されたりする構成とすることも考えられる。
【００３１】
その後、無線制御部２０及びアンテナ１０を介して送信された応答メッセージに対するメッセージ情報がアンテナ１０及び無線制御部２０にて受信されると、通話制御部９１の制御によってこのメッセージ情報が記憶部６０に記憶される（ステップＳ８）。
【００３２】
このようにトイレマナーモードに設定された状態においては、通話着信があった場合、音情報出力部８０であるスピーカ８１から通話着信音が出力されることなく自動的に通話状態とされ、記憶部６０に予め記憶された応答メッセージが無線制御部２０及びアンテナ１０を介して送信されるが、電子メールの送受信やインターネットの利用等といった動作については、通信制御部９３の制御によって、トイレマナーモードに設定されていない場合と同様に行うことができる。
【００３３】
また、トイレマナーモードボタン５７の押下によってトイレマナーモードに設定されている状態、すなわち、音情報出力部８０となるスピーカ８１から音情報が出力されている状態において、トイレマナーモードボタン５７が再度押下されると、トイレマナーモードの設定が解除され（ステップＳ９）、通話制御部９１の制御によって通話着信時にスピーカ８１から着信音が出力される状態に切り替えられるとともに、音発生制御部９２の制御によって、記憶部６０から読み出された音情報のスピーカ８１からの出力が停止する（ステップＳ１０）。
【００３４】
トイレマナーモードの設定が解除された後に通話着信があった場合、通話制御部９１の制御によって、設定に応じて、記憶部６０に記憶された音情報のうち、予め指定された着信音が読み出されて音情報出力部８０となるスピーカ８１から出力されたり、振動によって着信が通知されたりすることになる。
【００３５】
（第２の実施の形態）
図４は、図１に示した携帯電話機１００の第２の実施の形態の外部構造を示す図であり、（ａ）は折り畳み状態における一方の面を示す図、（ｂ）は見開いた状態における見開き面を示す図である。
【００３６】
図４に示すように、本形態における携帯電話機１００においては、表示部３０としてディスプレイ３１が設けられ、音声入力部４０としてマイク４１が設けられ、操作部５０としてテンキー５１、移動／指定ボタン５２、機能設定ボタン５３ａ〜５３ｄ、通話ボタン５４、電源ボタン５５及び伝言モードボタン５６が設けられ、通話音声出力部７０としてスピーカ７１が設けられ、音情報出力部８０としてスピーカ８１が設けられている。すなわち、第１の実施の形態に示したものに対して、トイレマナーボタン５７が設けられていない点のみが異なるものである。なお、第１の実施の形態に示したものと同様に、図示していないが、着信時に着信音をスピーカ８１から出力せずに振動で着信を通知するマナーモードに設定するマナーモードボタンも一般的に設けられている。
【００３７】
図５は、図１及び図４に示した携帯電話機１００の動作方法を説明するためのフローチャートである。
【００３８】
電源ボタン５５が押下されることにより電源が投入された待ち受け状態において（ステップＳ１０１）、トイレマナーモードの設定が行われると（ステップＳ１０２，１０３）、通話制御部９１において、通話着信時に着信音を出力することなく通話状態として応答メッセージを送信する自動応答モードが設定され、また、音発生制御部９２の制御によって、記憶部６０に記憶された音情報が読み出され、音情報出力部８０となるスピーカ８１から出力される（ステップＳ１０４）。ここで、本形態におけるトイレマナーモードへの設定は、第１の実施の形態に示したもののように操作部５０として設けられたトイレマナーモードボタン５７を押下することによって行うのではなく、表示部３０となるディスプレイ３１に表示されたメニュー画面を用いて指定することによって行う。例えば、ディスプレイ３１にメニュー画面を表示させ、このメニュー画面において、トイレマナーモードの設定／解除を行うためのアイコンを選択し、トイレマナーモードへの設定を行う。
【００３９】
トイレマナーモードに設定されている状態、すなわち、音情報出力部８０となるスピーカ８１から音情報が出力されている状態において、トイレマナーモードが解除される前に（ステップＳ１０５）、無線制御部２０にて通話着信が検出された場合（ステップＳ１０６）、通話制御部９１の制御によって、記憶部６０に記憶された応答メッセージが読み出され、無線制御部２０及びアンテナ１０を介して通話相手にこの応答メッセージが送信される（ステップＳ１０７）。
【００４０】
その後、無線制御部２０及びアンテナ１０を介して送信された応答メッセージに対するメッセージ情報がアンテナ１０及び無線制御部２０にて受信されると、通話制御部９１の制御によってこのメッセージ情報が記憶部６０に記憶される（ステップＳ１０８）。
【００４１】
このようにトイレマナーモードに設定された状態においては、通話着信があった場合、音情報出力部８０であるスピーカ８１から通話着信音が出力されることなく自動的に通話状態とされ、記憶部６０に予め記憶された応答メッセージが無線制御部２０及びアンテナ１０を介して送信されるが、電子メールの送受信やインターネットの利用等といった動作については、通信制御部９３の制御によって、トイレマナーモードに設定されていない場合と同様に行うことができる。
【００４２】
また、トイレマナーモードに設定されている状態、すなわち、音情報出力部８０となるスピーカ８１から音情報が出力されている状態において、トイレマナーモードが解除されると（ステップＳ１０９）、通話制御部９１の制御によって通話着信時にスピーカ８１から着信音が出力される状態に切り替えられるとともに、音発生制御部９２の制御によって、記憶部６０から読み出された音情報のスピーカ８１からの出力が停止する（ステップＳ１１０）。ここで、本形態におけるトイレマナーモードの解除は、第１の実施の形態に示したもののように操作部５０として設けられたトイレマナーモードボタン５７を再度押下することによって行うのではなく、表示部３０となるディスプレイ３１に表示されたメニュー画面を用いて指定することによって行う。例えば、ディスプレイ３１にメニュー画面を表示させ、このメニュー画面において、トイレマナーモードの設定／解除を行うためのアイコンを選択し、トイレマナーモードの解除を行う。
【００４３】
トイレマナーモードの設定が解除された後に通話着信があった場合、通話制御部９１の制御によって、設定に応じて、記憶部６０に記憶された音情報のうち、予め指定された着信音が読み出されて音情報出力部８０となるスピーカ８１から出力されたり、振動によって着信が通知されたりすることになる。
【００４４】
（第３の実施の形態）
図６は、図１に示した携帯電話機１００の第３の実施の形態の外部構造を示す図であり、（ａ）は折り畳み状態における一方の面を示す図、（ｂ）は見開いた状態における見開き面を示す図である。
【００４５】
図６に示すように、本形態における携帯電話機１００においては、表示部３０としてディスプレイ３１が設けられ、音声入力部４０としてマイク４１が設けられ、操作部５０としてテンキー５１、移動／指定ボタン５２、機能設定ボタン５３ａ〜５３ｄ、通話ボタン５４、電源ボタン５５、伝言モードボタン５６及び防犯モードボタン５８が設けられ、通話音声出力部７０としてスピーカ７１が設けられ、音情報出力部８０としてスピーカ８１が設けられている。なお、図示していないが、着信時に着信音をスピーカ８１から出力せずに振動で着信を通知するマナーモードに設定するマナーモードボタンも一般的に設けられている。
【００４６】
図７は、図１及び図６に示した携帯電話機１００の動作方法を説明するためのフローチャートである。
【００４７】
電源ボタン５５が押下されることにより電源が投入された待ち受け状態において（ステップＳ２０１）、防犯モードボタン５８が押下されると（ステップＳ２０２）、この防犯モードボタン５８の押下が制御部９０にて検出され、防犯モードへの設定が行われる（ステップＳ２０３）。
【００４８】
防犯モードへの設定が行われると、通話制御部９１において、無線制御部２０にて通話着信が検出された場合に、音情報出力部８０であるスピーカ８１から通話着信音を出力することなく自動的に通話状態とし、記憶部６０に予め記憶された応答メッセージが無線制御部２０及びアンテナ１０を介して送信される自動応答モードが設定される。この自動応答モードは、伝言モードボタン５６を押下することによっても設定することができる。自動応答モードに設定された場合に記憶部６０から読み出される音声メッセージは、携帯電話機１００の販売時に既に記憶部６０に記憶されているメッセージや、音声入力部４０であるマイク４１を介して入力されて記憶部６０に記憶されているメッセージ等を、伝言モードボタン５６が押下された場合に設定される応答モードと防犯モードボタン５８が押下された場合に設定される応答モードとでそれぞれ適宜選択することができる。例えば、伝言モードボタン５６が押下された場合に設定される応答モードについては、「ただいま電話に出ることができません。メッセージをどうぞ。」という応答メッセージを選択し、防犯モードボタン５８が押下された場合に設定される応答モードについては、「非常事態が発生しました。警察に連絡してください。」という応答メッセージを選択することが考えられる。すなわち、通話制御部９１においては、伝言モードボタン５６が押下された場合と防犯モードボタン５８が押下された場合とで異なる応答モードが設定されることになり、それらの応答モードは応答メッセージが互いに異なるものとなる。
【００４９】
また、防犯モードへの設定が行われると、音発生制御部９２の制御によって、記憶部６０に記憶された警報音となる音情報が読み出され、音情報出力部８０となるスピーカ８１から出力される（ステップＳ２０４）。なお、この際、スピーカ８１から出力される音情報は、第１の実施の形態にて示したものと同様に適宜設定することができるが、防犯モードに設定した際にスピーカ８１から出力される音情報は警報音として予め決められていることが好ましい。なお、スピーカ８１からの音情報の出力は、連続的であってもよいし断続的であってもよいが、警報音であることから連続音であることが好ましい。また、その音量は、警報音であることから、スピーカ８１からの音情報の出力音量の設定によらずに大音量となるものであることが好ましい。また、上述したように防犯ボタン５８が押下されると記憶部６０に記憶された音情報がスピーカ８１から出力されるため、防犯モードボタン５８が押下されたことによる防犯モードへの設定は、防犯モードボタン５８が一定時間（例えば１秒）押下された場合に行われる構成とすることが好ましく、伝言モードボタン５６が押下されたことによる自動応答モードへの設定についても同様の構成とすることが考えられる。ただし、本形態においては、非常事態発生時に防犯モードボタン５８が押下されることになるため、防犯モードに設定するために防犯モードボタン５８を押下する必要がある時間をあまり長く設定することは好ましくはない。
【００５０】
防犯モードボタン５８の押下によって防犯モードに設定されている状態、すなわち、音情報出力部８０となるスピーカ８１から警報音となる音情報が出力されている状態において、防犯モードボタン５８が再度押下される前に（ステップＳ２０５）、無線制御部２０にて通話着信が検出された場合（ステップＳ２０６）、通話制御部９１の制御によって、記憶部６０に記憶された応答メッセージが読み出され、無線制御部２０及びアンテナ１０を介して通話相手にこの応答メッセージが送信される（ステップＳ２０７）。なお、この際に記憶部６０から読み出される応答メッセージは、上述したように、「非常事態が発生しました。警察に連絡してください。」等といった、非常事態が発生したことを通知するものであることが好ましい。また、応答メッセージが送信されている間、通話制御部９１の制御によって、応答メッセージを送信している旨が表示部３０に表示されたり、通話相手が番号表示を指定している場合はその番号が表示されたり、また、その番号が記憶部６０に記憶されている場合は記憶部６０にてその番号に対応づけて登録された氏名等が表示部３０に表示されたりする構成とすることも考えられる。あるいは、上述したような情報の表示部３０への表示をあえて行わなず、防犯モード解除時に通信履歴を表示すること等も考えられる。
【００５１】
また、防犯モードボタン５８の押下によって防犯モードに設定されている状態、すなわち、音情報出力部８０となるスピーカ８１から警報音となる音情報が出力されている状態において、防犯モードボタン５８が再度押下されると、まず、パスワードの入力を要求する画面が表示部３０となるディスプレイ３１に表示される。そして、操作部５０を構成するテンキー５１によってパスワードが入力されると、制御部９０において、入力されたパスワードと記憶部６０に予め記憶されたパスワードとが比較され、両者が一致した場合（ステップＳ２０８）、防犯モードの設定が解除され（ステップＳ２０９）、通話制御部９１の制御によって通話着信時にスピーカ８１から着信音が出力される状態に切り替えられるとともに、音発生制御部９２の制御によって、記憶部６０から読み出された音情報のスピーカ８１からの出力が停止する（ステップＳ２１０）。なお、このパスワードは、携帯電話機１００の全ての機能について１つ設定されたものであってもよいし、防犯モードを解除するためだけに予め設定されたものであってもよい。また、パスワードを用いるのではなく、指紋や虹彩、静脈等の生体情報を用いて利用者の認証を行い、防犯モードを解除してもよい。いずれの場合においても、予め設定されたパスワードや生体情報は記憶部６０に記憶される。
【００５２】
このように、防犯モードを解除する旨、すなわち通信制御部９１の自動応答モードを解除する旨が指定された場合、パスワードや生体情報の入力を要求し、操作部５０を介して入力されたパスワードや生体情報が予め登録されたものである場合のみスピーカ８１からの音情報の出力が停止する構成としたため、非常事態発生時において、携帯電話機１００の所有者以外の者がスピーカ８１からの音情報の出力を停止してしまうことを防止することができる。
【００５３】
防犯モードの設定が解除された後に通話着信があった場合、通話制御部９１の制御によって、設定に応じて、記憶部６０に記憶された音情報のうち、予め指定された着信音が読み出されて音情報出力部８０となるスピーカ８１から出力されたり、振動によって着信が通知されたりすることになる。
【００５４】
なお、上述した３つの実施の形態においては、通話制御部９１が自動応答モードに設定された場合に、記憶部６０に記憶された音情報がスピーカ８１から出力されるものとして、トイレマナーモードや防犯モードを例に挙げて説明したが、その他に、インターネットのサイト上からダウンロードした音楽を記憶部６０に記憶しておき、通話制御部９１が自動応答モードに設定された状態において、この音楽をスピーカ８１から出力するとともに、着信があった場合に自動応答する構成とすることも考えられる。このような構成とすることにより、記憶部６０に記憶された音楽を視聴している間に着信があった場合、着信に応答することなく音楽を視聴し続けることができるようになる。なお、このように音楽を視聴するために設定される自動応答モードにおいては、記憶部６０に記憶された音楽をスピーカ８１から出力するのではなく、イヤホンを介して出力する構成としてもよい。また、このような音楽視聴モードにおいては、音楽を例えば１曲等の既定数曲（フレーズ単位や時間等の単位によって）出力した後に、利用者の設定解除の指示を待たずして、音楽視聴モードを解除してもよい。
【００５５】
また、上述したように伝言モードボタン５６を押下することによって設定されて音を出さずに自動応答する通常の自動応答モードと、例えばトイレマナーモード等の本発明の各種モードのいずれも設定可能な構成とすることはもちろんのこと、本発明の各種モード同士を組み合わせ、例えば、トイレマナーモードと防犯モードのいずれも設定可能な構成とすることも考えられる。その場合は例えば、トイレマナーモードについては、第２の実施の形態に示したもののように、表示部３０となるディスプレイ３１に表示されたメニュー画面を用いて設定を行い、防犯モードについては、第３の実施の形態し示したもののように、防犯モードボタン５８を用いて設定を行うことが考えられる。また、この組み合わせに、上述した音楽視聴モードを組み合わせることも考えられる。
【００５６】
また、上述した各種モードの設定を１つのボタンを用いて、１回押すと通常の自動応答モード、２回連続的に押すとトイレマナーモード、３回連続的に押すと防犯モードというようにしても良い。その場合、再度ボタンを押すことで、設定されたモードが解除されることになる。
【図面の簡単な説明】
【００５７】
【図１】本発明の通話端末の実施の一形態となる携帯電話機の構成を示す機能ブロック図である。
【図２】図１に示した携帯電話機の第１の実施の形態の外部構造を示す図であり、（ａ）は折り畳み状態における一方の面を示す図、（ｂ）は見開いた状態における見開き面を示す図である。
【図３】図１及び図２に示した携帯電話機の動作方法を説明するためのフローチャートである。
【図４】図１に示した携帯電話機の第２の実施の形態の外部構造を示す図であり、（ａ）は折り畳み状態における一方の面を示す図、（ｂ）は見開いた状態における見開き面を示す図である。
【図５】図１及び図４に示した携帯電話機の動作方法を説明するためのフローチャートである。
【図６】図１に示した携帯電話機の第３の実施の形態の外部構造を示す図であり、（ａ）は折り畳み状態における一方の面を示す図、（ｂ）は見開いた状態における見開き面を示す図である。
【図７】図１及び図６に示した携帯電話機１００の動作方法を説明するためのフローチャートである。
【符号の説明】
【００５８】
１０    アンテナ
２０    無線制御部
３０    表示部
３１    ディスプレイ
４０    音声入力部
４１    マイク
５０    操作部
５１    テンキー
５２    移動／指定ボタン
５３ａ〜５３ｄ    機能設定ボタン
５４    通話ボタン
５５    電源ボタン
５６    伝言モードボタン
５７    トイレマナーボタン
５８    防犯モードボタン
６０    記憶部
７０    通話音声出力部
７１，８１    スピーカ
８０    音情報出力部
９０    制御部
９１    通話制御部
９２    音発生制御部
９３    通信制御部
１００    携帯電話機
【図１】
2007049525.tif 000003
【図２】
2007049525.tif 000004
【図３】
2007049525.tif 000005
【図４】
2007049525.tif 000006
【図５】
2007049525.tif 000007
【図６】
2007049525.tif 000008
【図７】
2007049525.tif 000009